(57)【特許請求の範囲】
【請求項１】
透光性目盛り盤（１０ａ、１０ｂ）と、
この目盛り盤の貫通穴部（１３）内に向けその裏面側から延出する指針軸（５２）の先端部に支持した回動基部（８１）を有する発光指針本体（８０ａ）と、
この発光指針本体にその表面側から前記目盛り盤に対向するように前記指針軸とほぼ同軸的に設けられた遮光性円盤部材（８０ｂ）と、
前記目盛り盤の裏面側に配設されて光を前記貫通穴部を通して前記遮光性円盤部材の裏面及び前記回動基部に向け入射すると共に前記目盛り盤の裏面に入射する光源体（７０、２０）とを備え、
前記発光指針本体は、少なくともその指針部（８２）にて、前記遮光性円盤部材に形成した長手状開口部（８４）から露出しており、
前記遮光性円盤部材は、断面円弧板状に形成されたものであって、その裏面には、前記貫通穴部からの光を前記目盛り盤との間にて相互反射しながら外周部側へ漏出させる断面円弧形状の反射層（８５）が形成されていることを特徴とする指針計器。
【請求項２】
透光性目盛り盤（１０ａ、１０ｂ）と、
この目盛り盤の貫通穴部（１３）内に向けその裏面側から延出する指針軸（５２）の先端部に支持した回動基部（８１）を有する発光指針本体（８０ａ）と、
この発光指針本体にその表面側から前記目盛り盤に対向するように前記指針軸とほぼ同軸的に設けられた遮光性円盤部材（８０ｃ）と、
前記目盛り盤の裏面側に配設されて光を前記貫通穴部を通して前記遮光性円盤部材の裏面及び前記回動基部に向け入射すると共に前記目盛り盤の裏面に入射する光源体（７０、２０）とを備え、
前記発光指針本体は、少なくともその指針部（８２）にて、前記遮光性円盤部材に形成した長手状開口部（８６）から露出しており、
前記遮光性円盤部材は、断面略コ字状に形成されたものであって、その裏面には、前記貫通穴部からの光を前記目盛り盤との間にて相互反射しながら外周部側へ漏出させる断面略コ字形状の反射層（８７）が形成されていることを特徴とする指針計器。
【請求項３】
前記光源体は、前記目盛り盤の裏面に沿い設けた導光板（２０）と、前記目盛り盤の裏面側にて前記指針軸の周りに配設された複数の指針用光源（７０）とを備え、
前記導光板は、前記指針軸を前記貫通穴部に向け挿通させると共に前記各指針用光源に向け延出する環状部（２１）を備えて、
前記各指針用光源は、前記導光板内に前記環状部から光の一部を入射するとともに、残りの光を前記環状部及び前記貫通穴部を通して前記遮光性円盤部材の裏面及び前記回動基部に入射することを特徴とする請求項１または２に記載の指針計器。
【請求項４】
透光性目盛り盤（１０ａ、１０ｂ）と、
この目盛り盤の貫通穴部（１３）内に向けその裏面側から延出する指針軸（５２）の先端部に支持した回動基部（８１）を有する発光指針本体（８０ａ）と、
この発光指針本体にその表面側から前記目盛り盤に対向するように前記指針軸とほぼ同軸的に設けられた遮光性円盤部材（８０ｂ）と、
前記目盛り盤の裏面側にて前記指針軸の周りに配設されて光を前記貫通穴部を通して前記遮光性円盤部材の裏面及び前記回動基部に向け入射する指針用光源（７０）と、
前記目盛り盤の裏面側に沿い前記指針用光源の外周側にて設けられて前記目盛り盤に光を入射する目盛り盤用光源（１００）とを備え、
前記発光指針本体は、少なくともその指針部（８２）にて、前記遮光性円盤部材に形成した長手状開口部（８４）から露出しており、
前記遮光性円盤部材は、断面円弧板状に形成されたものであって、その裏面には、前記貫通穴部からの光を前記目盛り盤との間にて相互反射しながら外周部側へ漏出させる断面円弧形状の反射層（８５）が形成されていることを特徴とする指針計器。
【発明の詳細な説明】
【０００１】
【産業上の利用分野】
本発明は指針計器に関する。
【０００２】
【従来の技術】
従来、この種の指針計器としては、例えば、実用新案登録第２５２８４６６号公報に示すような透過照明式メータがある。このメータでは、円盤状指針が、円盤状部材の一部に長手状発光指針部を設けて構成されており、この指針では、円盤状部材の裏面側から発光指針部内に導光することで当該発光指針部を発光させるようになっている。
【０００３】
【発明が解決しようとする課題】
しかし、上記メータでは、円盤状指針が円盤状部材を有するものの、単に、当該円盤状部材の裏面から発光指針部内に導光しているのみである。従って、目盛り盤の照明は、通常の一般的な透過照明に頼っており、見栄えが単純で面白みがない。
【０００４】
そこで、本発明は、以上のようなことに対処するため、指針計器において、円盤状指針を採用し、その発光指針本体への光を目盛り盤の表面にも反射により入射することを目的とする。
【０００５】
【課題を解決するための手段】
上記課題の解決にあたり、請求項１に記載の発明に係る指針計器では、透光性目盛り盤（１０ａ、１０ｂ）と、この目盛り盤の貫通穴部（１３）内に向けその裏面側から延出する指針軸（５２）の先端部に支持した回動基部（８１）を有する発光指針本体（８０ａ）と、この発光指針本体にその表面側から目盛り盤に対向するように指針軸とほぼ同軸的に設けられた遮光性円盤部材（８０ｂ）と、目盛り盤の裏面側に配設されて光を上記貫通穴部を通して遮光性円盤部材の裏面及び上記回動基部に向け入射すると共に目盛り盤の裏面に入射する光源体（７０、２０）とを備える。
【０００６】
当該指針計器において、発光指針本体は、少なくともその指針部（８２）にて、遮光性円盤部材に形成した長手状開口部（８４、８６）から露出しており、遮光性円盤部材は、断面円弧板状に形成されたものであって、その裏面には、貫通穴部からの光を目盛り盤との間にて相互反射しながら外周部側へ漏出させる断面円弧形状の反射層（８５）が形成されている。
【０００７】
これにより、発光指針本体が光源体からの光を入射されて発光している状態において、目盛り盤が、その裏面側から光源体により照明され、当該目盛り盤の表面が上記相互反射光の漏出でもって照明される。従って、単に光源体のみにより目盛り盤を照明するのに比べて、従来にない斬新な面白みのある見栄えを確保できる。
【０００８】
また、請求項２に記載の発明では、発光指針本体は、少なくともその指針部（８２）にて、遮光性円盤部材に形成した長手状開口部（８６）から露出しており、遮光性円盤部材は、断面略コ字状に形成されたものであって、その裏面には、貫通穴部からの光を目盛り盤との間にて相互反射しながら外周部側へ漏出させる断面略コ字形状の反射層（８７）が形成されている。また、請求項３に記載の発明では、請求項１または２に記載の指針計器において、光源体は、目盛り盤の裏面に沿い設けた導光板（２０）と、目盛り盤の裏面側にて指針軸の周りに配設された複数の指針用光源（７０）とを備え、導光板は、指針軸を上記貫通穴部に向け挿通させると共に各指針用光源に向け延出する環状部（２１）を備えて、各指針用光源は、導光板内に上記環状部から光の一部を入射するとともに、残りの光を上記環状部及び上記貫通穴部を通して遮光性円盤部材の裏面及び上記回動基部に入射することを特徴とする。
【０００９】
これにより、請求項１に記載の発明の作用効果をより一層具体的に達成できる。
【００１０】
また、請求項４に記載の発明に係る指針計器では、透光性目盛り盤（１０ａ、１０ｂ）と、この目盛り盤の貫通穴部（１３）内に向けその裏面側から延出する指針軸（５２）の先端部に支持した回動基部（８１）を有する発光指針本体（８０ａ）と、この発光指針本体にその表面側から目盛り盤に対向するように指針軸とほぼ同軸的に設けられた遮光性円盤部材（８０ｂ）と、目盛り盤の裏面側にて指針軸の周りに配設されて光を貫通穴部を通して遮光性円盤部材の裏面及び回動基部に向け入射する指針用光源（７０）と、目盛り盤の裏面側に沿い指針用光源の外周側にて設けられて目盛り盤に光を入射する目盛り盤用光源（１００）とを備える。
【００１１】
当該指針計器では、発光指針本体は、少なくともその指針部（８２）にて、遮光性円盤部材に形成した長手状開口部（８４）から露出しており、遮光性円盤部材は、断面円弧板状に形成されたものであって、その裏面には、貫通穴部からの光を目盛り盤との間にて相互反射しながら外周部側へ漏出させる断面円弧形状の反射層（８５）が形成されている。
【００１２】
このように、光源を指針用と目盛り盤用と別々に採用しても、請求項１に記載の発明と実質的に同様の作用効果を達成できる。
【００１５】
なお、上記各手段の括弧内の符号は、後述する実施形態に記載の具体的手段との対応関係を示すものである。
【００１６】
【発明の実施の形態】
以下、本発明の一実施形態を図面に基づき説明する。図１及び図２は、本発明に係る乗用車用指針計器の一実施形態を示しており、この指針計器は、当該乗用車の車室内に設けたインストルメントパネルに配設されている。
【００１７】
この指針計器は、図２にて示すごとく、計器板ユニットＵを備えており、この計器板ユニットＵは、計器板１０及び導光板２０により構成されている。
【００１８】
計器板１０は、図１にて示すごとく、左右両文字盤１０ａ、１０ｂを備えており、これら両文字盤１０ａ、１０ｂには、それぞれ、各略円環状パターン表示部１１、１２が形成されている。
【００１９】
ここで、略円環状パターン表示部１１は、目盛り盤１０ａの外周部に位置し、透明の目盛り及び文字を除き黒色に形成されている。また、目盛り盤１０ａのうち略円環状パターン表示部１１を除く部分、即ち目盛り盤１０ａの中央部は透明となっている。また、略円環状パターン表示部１２は、目盛り盤１０ｂの外周部に位置し、透明の目盛り及び文字を除き黒色に形成されている。また、目盛り盤１０ｂのうち略円環状パターン表示部１２を除く部分、即ち目盛り盤１０ｂの中央部は、透明となっている。
【００２０】
なお、パターン表示部１１は当該乗用車の車速を表すパターンであり、パターン表示部１２は当該乗用車のエンジンの回転数を表すパターンである。また、図１にて符号１０ｃは、インジケータ部を示しており、このインジケータ部１０ｃは当該乗用車のオートマチックトランスミッションの変速位置を表すパターンである。
【００２１】
導光板２０は、透明のアクリル樹脂やポリカーボネード等の導光材料により形成されており、この導光板２０は、計器板１０の裏面に沿い両文字盤１０ａ、１０ｂに亘るように装着されている。導光板２０は、左右両環状部２１（図２では左側環状部２１のみを示す）を備えており、この左側環状部２１は、左側文字盤１０ａの貫通穴部１３（図１及び図２参照）と同軸的に位置している。ここで、左側環状部２１は、図２にて示すごとく、下方に向け末すぼまり状にかつ貫通穴部１３側へ凸な断面彎曲形状にて延出形成されている。一方、導光板２０の右側環状部２１は、右側文字盤１０ｂの貫通穴部と同軸的に位置している。なお、右側環状部２１も、左側環状部２１と同様の形状に形成されている。
【００２２】
また、指針計器は、ケーシング３０を備えており、このケーシング３０は、その開口部内に、計器板ユニットＵを収容するように、当該開口部にて、環状の見返し板４０の下端環状壁部と装着されている。なお、計器板ユニットＵは、その外周部にて、見返し板４０の下端環状壁部にその裏面側から装着されている。
【００２３】
また、指針計器は、ケーシング３０に収容した左右両側駆動装置５０（図２では左側駆動装置５０のみを示す）を備えており、これら各駆動装置５０は、その装置本体５１にて、各文字盤１０ａ、１０ｂに対応する位置にて、ケーシング３０の底壁に装着されている。
【００２４】
左側駆動装置５０は、図２にて示すごとく、指針軸５２を備えており、この指針軸５２は、装置本体５１から配線板６０の貫通穴部６１、導光板２０の左側環状部２１の中空部及び計器板１０の貫通穴部１３を同軸的に通り回動可能に延出している。なお、右側駆動装置５０も、左側駆動装置５０と同様に構成されている。
【００２５】
また、指針計器は、上記配線板６０と、各複数の左右両側指針用光源７０（図２では、左側指針用光源のみを示す）と、左右両側指針８０を備えている。配線板６０はプリント配線板等からなるもので、この配線板６０は、計器板１０と並行となるように、両回動内機５１の上端面に亘り装着されている。
【００２６】
複数の左側指針用光源７０は、左側指針軸５２の軸周りにて設けられており、これら各左側指針用光源７０は、その発光面にて、導光板２０の左側環状部２１の延出端開口部２１ａに対向するように、互いに間隔をおいて配線板６０の表面に設けられている。これにより、各左側指針用光源７０は、導光板２０内にその左側環状部２１を通して光の一部を入射するとともに、残りの光を当該左側環状部２１及び貫通穴部１３を通して後述する左側指針８０の回動基部８１の裏面及び円盤部材８０ｂの裏面に入射する。右側指針用光源７０も、右側指針軸の軸周りにて、同様に、配線板６０の表面に設けられている。
【００２７】
左側指針８０は、図２にて示すごとく、長手状発光指針本体８０ａと、円盤部材８０ｂとにより構成されている。発光指針本体８０ａは、導光材料からなるもので、この発光指針本体８０ａは、その回動基部８１のボス部にて、左側指針軸５２の先端部に同軸的に支持されている。また、発光指針本体８０ａは、回動基部８１から目盛り盤１０ａの表面に沿い延出する指針部８２を備えている。
【００２８】
円盤部材８０ｂは、遮光材料により断面円弧板状に形成されており、この円盤部材８０ｂは、その頂部８３にて、発光指針本体８０ａの回動基部８１上に装着されている。これにより、円盤部材８０ｂは、発光指針本体８０ａをその表面側から被っている。但し、発光指針本体８０ａは、その指針部８２にて、図２にて示すごとく、円盤部材８０ａに形成したスリット状開口部８４を通り延出している。これにより、発光指針本体８０ａは、その回動基部８１内に上述のように入射した光を、回動基部８１の傾斜状後端面８１ａにより指針部８２内に反射してこの指針部８２の表面から出射する。
【００２９】
また、円盤部材８０ａの裏面は反射層８５として形成されており、この反射層８５は、導光板２０の左側環状部２１及び計器板１０の左側貫通穴部１３を通り左側指針８０の回動基部８１側へ進む各光源７０の光の一部を入射されて目盛り盤１０ａの表面に向けて反射する。右側指針８０も、左側指針８０と同様に構成されて、右側回動内機５１の指針軸の先端部に支持されている。なお、図１及び図２にて符号９０は、フロントパネルを示す。
【００３０】
以上のように構成した本第１実施形態の作動を、図２にて示す構成を例にとり説明する。左側の各指針用光源７０が発光すると、これら各光源７０の光は、導光板２０の左側環状部２１内にその延出端開口部２１ａから入射する。すると、このように入射した光の一部は、導光板２０のうち目盛り盤１０ａに対応する部分に導光されて目盛り盤１０ａに面状光として入射する。また、左側環状部２１内に入射した光のうち残りの部分は、当該左側環状部２１を透過して左側指針８０の回動基部８１の裏面及び円盤部材８０ａの反射層８５に入射する。
【００３１】
上述のように目盛り盤１０ａに入射した面状光はこの目盛り盤１０ａを透過することで当該目盛り盤１０ａをその裏面側から照明する。また、上述のように左側指針８０の回動基部８１の裏面に入射した光は、当該回動基部８１から左側発光指針本体８０ａの指針部８２内に後端面８１ａによる反射のもと進み指針部８２の表面から出射する。これにより、左側発光指針本体８０ａはその指針部８２にて発光する。
【００３２】
また、上述のように円盤部材８０ｂの反射層８５に入射した光は、当該反射層８５の断面円弧形状と、当該反射層８５と目盛り盤１０ａとの間の間隔及び対向位置関係とに基づき、反射層８５と目盛り盤１０ａの表面との間で相互反射されながら、円盤部材８０ｂの外周部から外方へ漏れて出射する。換言すれば、円盤部材８０ｂの裏面と目盛り盤１０ａの表面との間の相互反射光は、目盛り盤１０ａの表面のうちパターン表示部１１の内周側であって円盤部材８０ｂの外周部に沿い円環状にこもれ火のようにぼんやりとした光として出射する。
【００３３】
このように、発光指針本体８０ａの発光のもと、目盛り盤１０ａが、その裏面側から導光板２０により照明され、当該目盛り盤１０ａの表面が上記円環状こもれ火のような相互反射漏出光でもって照明される。従って、フロントパネル９０を通して目盛り盤１０ａを見たとき、単に導光板２０のみにより目盛り盤１０ａを照明するのに比べて、従来にない斬新な面白みのある見栄えを確保できる。
【００３４】
（第２実施形態）
図３は本発明の第２実施形態を示している。この第２実施形態では、上記第１実施形態にて述べた左側円盤状指針８０において、円盤部材８０ｂに代えて、円盤部材８０ｃを採用した構成となっている。
【００３５】
円盤部材８０ｃは、遮光材料により断面略コ字状に形成されており、この円盤部材８０ｃの上壁には、その中央部から外周部にかけてスリット状開口部８６が形成されている。また、円盤部材８０ｃの裏面は、その全面に亘り、反射層８７として形成されている。また、発光指針本体８０ａは、その表面部にて、スリット状開口部８６に嵌着されている。なお、右側円盤状指針８０も左側指針８０と同様の構成に変更されている。その他の構成は上記第１実施形態と同様である。
【００３６】
このように構成した本第２実施形態では、上記第１実施形態と実質的に同様に円盤部材８０ｃの反射層８７（反射層８５に対応する）に入射した光は、当該反射層８７の断面コ字形状と、当該反射層８７と目盛り盤１０ａとの間の間隔及び対向位置関係とに基づき、反射層８７と目盛り盤１０ａの表面との間で相互反射されながら、円盤部材８０ｃの外周部から外方へ漏れて出射する。換言すれば、円盤部材８０ｃの裏面と目盛り盤１０ａの表面との間の相互反射光は、目盛り盤１０ａの表面のうちパターン表示部１１の内周側であって円盤部材８０ｃの外周部に沿い円環状にこもれ火のようにぼんやりとした光として出射する。
【００３７】
これにより、上記第１実施形態と同様に、フロントパネル９０を通して目盛り盤１０ａを見たとき、単に導光板２０のみにより目盛り盤１０ａを照明するのに比べて、従来にない斬新な面白みのある見栄えを確保できる。
【００３８】
（第３実施形態）
図４は本発明の第３実施形態について説明する。この第３実施形態では、上記第１実施形態にて述べた導光板２０の左側環状部２１が左側貫通穴部２２に変更されている。これに伴い、目盛り盤１０ａ用の複数の光源１００が、目盛り盤１０ａのパターン表示部１１の内周側部分に対応する位置にて、左側指針軸５２の軸周りに間隔をおいて配線板６０の表面に配設されている。その他の構成は上記第１実施形態と同様である。
【００３９】
このように構成した本第３実施形態においては、各左側指針用光源７０の光は、上記第１実施形態とは異なり、導光板２０内には導光されず、当該導光板２０の左側貫通穴部２２及び目盛り盤１０ａの貫通穴部１３と通して左側指針８０の回動基部８１の裏面及び円盤部材８０ｂの反射層８５に入射するが、発光指針本体８０ａの発光及び目盛り盤１０ａと反射層８５との間における相互反射光の円盤部材８０ｂの外周部側への円環状漏出は上記第１実施形態と同様である。
【００４０】
また各目盛り盤用光源１００は、その発光により、導光板２０のうち目盛り盤１０ａに対応する部分に面状光として入射する。これにより、目盛り盤１０ａはその裏面側から照明される。
【００４１】
以上のように、上記第１実施形態とは異なり、指針用光源７０の光を導光板２０に導入することなく、目盛り盤用光源１００により導光板２０を介し目盛り盤１０ａを照明するようにしても、上記第１実施形態と実質的に同様の斬新な見栄えを確保できる。
【００４２】
なお、本発明の実施にあたり、乗用車用指針計器に限ることなく、その他各種車両、船舶や航空機用指針計器その他一般の指針計器に本発明を適用しても、上記各実施形態と同様の作用効果を達成できる。
【００４３】
また、本発明の実施にあたり、円盤部材８０ｂ、８０ｃは、上記各実施形態にて述べた形状に限ることなく、円盤部材の裏面が、目盛り盤との間の相互反射光を指針軸側からその外周部側へ進めるような断面彎曲形状を有しておれば、円盤部材の断面形状に特に限定はない。
【図面の簡単な説明】
【図１】本発明に係る乗用車用指針計器の第１実施形態を示す部分破断平面図である。
【図２】図１にて２−２線に沿う部分拡大断面図である。
【図３】本発明の第２実施形態を示す部分拡大断面図である。
【図４】本発明の第３実施形態を示す部分拡大断面図である。
【符号の説明】
１０ａ、１０ｂ…目盛り盤、１３…貫通穴部、２０…導光板、
２１…環状部、５２…指針軸、７０…指針用光源、８０ａ…発光指針本体、
８０ｂ、８０ｃ…円盤部材、８１…回動基部、８２…指針部、
８４、８６…開口部、８５、８７…反射層。
【図１】
0004075282.tif 000002
【図２】
0004075282.tif 000003
【図３】
0004075282.tif 000004
【図４】
0004075282.tif 000005